(57)【特許請求の範囲】
【請求項１】
腹側部材と、背側部材と、前記両部材をつなぐ股部材と、
前記腹側部材及び前記背側部材の左端部同士及び右端部同士が接合されることにより、前記腹側部材と前記背側部材と前記股部材とに囲まれて形成される左右の脚開口部と、
前記腹側部材及び前記背側部材の各左右方向に延在し、前記両部材の各上端縁に沿った腰部の下で前記左右の脚開口部の上の領域に伸長した状態で配置され接合される胴周り弾性体と、を含む外装シートと、
前記外装シートの内側において前記腹側部材の腰部側から前記股部材を経て前記背側部材の腰部側にかけて配置されて重ねて接合される吸収部材とを備える使い捨て下着であって、
前記胴回り弾性体の締め付け力の及ばない非弾性部が、前記腰部側に頂点のある三角形状部分を含む形状に形成され、
前記胴周り弾性体の腰部側の一部が、前記外装シート及び前記吸収部材が重ねて接合される領域であって、前記非弾性部の三角形状部分の外側に形成され、
前記胴回り弾性体の締め付け力が、前記腰部側から前記左右の脚開口部側に向かうにつれて徐々に弱くなると共に、着用者の腰に対する前記使い捨て下着の胴回りの締め付けの向きが中央から各左右へ斜め上方に向かう向きとなることを特徴とする使い捨て下着。
【発明の詳細な説明】
【技術分野】
【０００１】
本発明は、使い捨て下着に関するものである。
【背景技術】
【０００２】
従来、使い捨てのパンツ型のおむつや、尿などを吸収するパッドを保持するパッドホルダー等の使い捨て下着について、様々な提案がされている（例えば、特許文献１）。
特許文献１の使い捨て着用物は、腹側の不織布の左右両端部間に、上端縁に向かう凸曲線を描かせる弾性部材と、下端縁に向かう凸曲線を描かせる弾性部材とを設けており、膨らんだおなかの頂部をきつく締め付けてしまうのを抑制する技術が提案されている。
しかし、このような使い捨て着用物は、着用者の体型によっては十分にフィットすることができず、ずれ落ちてしまう場合があった。
【先行技術文献】
【特許文献】
【０００３】
【特許文献１】特開平８−２９４５１０号公報
【発明の概要】
【発明が解決しようとする課題】
【０００４】
本発明の課題は、身体に良好にフィットし、ずれ落ちを抑制することができる使い捨て下着を提供することである。
【課題を解決するための手段】
【０００５】
前記課題を解決するために、本発明の使い捨て下着（１）は、腹側部材（１１）と、背側部材（１２）と、前記両部材をつなぐ股部材（５）と、前記腹側部材（１１）及び前記背側部材（１２）の左端部（１５ａ，１５ｂ）同士及び右端部（１５ｃ，１５ｄ）同士が接合されることにより、前記腹側部材（１１）と前記背側部材（１２）と前記股部材（５）とに囲まれて形成される左右の脚開口部（１３，１４）と、前記腹側部材（１１）及び前記背側部材（１２）の各左右方向に延在し、前記両部材の各上端縁に沿った腰部（４ａ，４ｂ）の下で前記左右の脚開口部（１３，１４）の上の領域に伸長した状態で配置され接合される胴周り弾性体（２１ａ，２１ｂ）と、を含む外装シート（１０）と、前記外装シート（１０）の内側において前記腹側部材（１１）の腰部（４ａ）側から前記股部材（５）を経て前記背側部材（１２）の腰部（４ｂ）側にかけて配置されて重ねて接合される吸収部材（３０）とを備える使い捨て下着であって、前記胴回り弾性体（２１ａ，２１ｂ）の締め付け力の及ばない非弾性部（Ｐ）が、前記腰部（４ａ，４ｂ）側に頂点のある三角形状部分を含む形状に形成され、前記胴周り弾性体（２１ａ，２１ｂ）の腰部（４ａ，４ｂ）側の一部が、前記外装シート（１０）及び前記吸収部材（３０）が重ねて接合される領域であって、前記非弾性部（Ｐ）の三角形状部分の外側に形成され、前記胴回り弾性体（２１ａ，２１ｂ）の締め付け力が前記腰部（４ａ，４ｂ）側から前記左右の脚開口部（１３，１４）側に向かうにつれて徐々に弱くなると共に、着用者の腰に対する前記使い捨て下着の胴回りの締め付けの向きが中央から各左右へ斜め上方に向かう向き（Ａ）となることを特徴とする。
本発明の上記態様においては、別体の前記吸収部材（１３０）が、前記腹側部材（１１１）の腰部（１０４ａ）側から前記股部材（１０５）を経て前記背側部材（１１２）の腰部（１０４ｂ）側にかけて配置されて保持されるものでもよい。
本発明の上記態様においては、前記左右の脚開口部（１３，１４）は、前記腹側部材（１１）及び前記背側部材（１２）においてそれぞれ同形状に形成され、前後の区別のないものでもよい。
以上、理解を容易にするために、本発明の実施形態に対応する符号を付して説明したが、これに限定されるものではない。なお、符号を付して説明した構成は、適宜改良してもよく、また、少なくとも一部を他の構成に代替してもよい。
【発明の効果】
【０００６】
本発明の使い捨て下着は、胴回りが、腰部の両側から股部方向へ弧を描くように曲線状に曲がるため、身体に良好にフィットし、ずれ落ちを抑制することができる。
【図面の簡単な説明】
【０００７】
【図１】第１実施形態のパンツ型おむつの斜視図である。
【図２】第１実施形態のパンツ型おむつの展開図である。
【図３】第１実施形態のパンツ型おむつに設けられた吸収部材の断面図である。
【図４】第２実施形態のパッドホルダーの展開図である。
【図５】変形形態のパンツ型おむつの展開図である。
【発明を実施するための形態】
【０００８】
（第１実施形態）
以下、図面等を参照して、本発明の実施形態について説明する。本実施形態においては、使い捨て下着としてパンツ型おむつを例に挙げて説明する。
図１は、本実施形態のパンツ型おむつの斜視図である。
図２は、本実施形態のパンツ型おむつの展開図である。
図１において、パンツ型おむつの左右方向をＸ方向（＋Ｘが左側）、前後方向をＹ方向（＋Ｙが前側）、上下方向をＺ方向（＋Ｚが上側）とする。また、図２において、展開したパンツ型おむつの幅方向（左右方向）をＸ方向（＋Ｘが左側）とし、Ｘ方向に直交する上下方向をＺ方向とする。ここで、図２において、腹側部材の上方向はＺ１方向を示し、背側部材の上方向はＺ２方向を示すものとする。
なお、図１において、パンツ型おむつに設けられる各ギャザーは省略している。また、図２において、パンツ型おむつの各ギャザーを形成する弾性部材は全て伸長した状態であるものとする。
【０００９】
以下の説明において、上下方向、左右方向、前後方向とは、それぞれ、パンツ型おむつの通常の使用状態（起立した着用者がパンツ型おむつを着用している状態）における方向を示すものとする。すなわち、パンツ型おむつの上側とは、腰部側をいい、下側とは股部側、左側とは左脚側、右側とは右脚側、前側とは腹部側、後側とは臀部側（背側）をいうものとする。
【００１０】
パンツ型おむつ１は、図１及び図２に示すように、着用者の尿や血液等（液状体）を吸収する吸収部材を備えた使い捨ての下着である。パンツ型おむつ１は、おむつの外側に位置する外面シート１０ａ、及びおむつの内側に位置する内面シート１０ｂを重ねた外装シート１０と、外装シート１０の内面（内面シート１０ｂ）側に配置された吸収部材３０とから構成されている。
外装シート１０を構成する外面シート１０ａ及び内面シート１０ｂには、ポリエチレン、ポリプロピレン、ポリエステル、ナイロン、レーヨン等の化学繊維や、綿、セルロース等の天然繊維等から成る不織布又はフィルム他、ポリエチレンとポリプロピレンの混合不織布のような上記素材を適宜組み合わせた混合不織布又はフィルム等が用いられる。また、不織布や、フィルム、ティシュ、伸縮材又はこれらの積層体、又はそれらを適宜つなぎ合わせ一枚のシートとして使用してもよい。
外装シート１０は、図１及び図２に示すように、腹側部材１１、背側部材１２、股部（股部材）５、左脚開口部１３、右脚開口部１４、接合部１５等から構成されている。
【００１１】
腹側部材１１は、着用者の前身ごろの腹部を覆う部分である。背側部材１２は、着用者の後身ごろの臀部を覆う部分である。腹側部材１１及び背側部材１２は、股部（股部材）５を介して一体につながっている。
図１及び図２に示すように、腹側部材１１及び背側部材１２は、それらの腰部４（４ａ，４ｂ）の各上端縁の幅方向（左右方向、Ｘ方向）に延在するようにして、腰周り弾性体２０（２０ａ，２０ｂ）がそれぞれ設けられている。また、それらの腰周り弾性体２０（２０ａ，２０ｂ）の下で、左脚開口部１３及び右脚開口部１４の上の領域には、胴周り弾性体２１（２１ａ，２１ｂ）がそれぞれ設けられている。
【００１２】
左脚開口部１３は、股部５の左側で、腹側部材１１及び背側部材１２のそれぞれ幅方向の左下端部に設けられている。
右脚開口部１４は、股部５の右側で、腹側部材１１及び背側部材１２のそれぞれ幅方向の右下端部に設けられている。
左脚開口部１３及び右脚開口部１４は、腹側部材１１及び背側部材１２の左端部１５ａ，１５ｂ同士及び右端部１５ｃ，１５ｄ同士が接合部１５として接合されることによって、図１に示すように着用者の左脚及び右脚を挿入する開口孔２、３が形成される切り欠きである。左脚開口部１３及び右脚開口部１４は、腹側部材１１と背側部材１２と股部５とに囲まれて形成される。
図２に示すように、左脚開口部１３及び右脚開口部１４には、それぞれの開口縁に沿うようにして脚周り弾性体２２（２２ａ，２２ｂ，２２ｃ，２２ｄ）が設けられている。
【００１３】
本実施形態では、左脚開口部１３及び右脚開口部１４は、Ｘ方向の中心線Ｃ１に対して左右対称に形成されている一方、Ｚ方向の中心線Ｃ２に対しては非対称に形成されている。
接合部１５は、腹側部材１１の左端部１５ａと背側部材１２の左端部１５ｂを接合する部分、及び、腹側部材１１の右端部１５ｃと背側部材１２の右端部１５ｄを接合する部分であり、熱シール、超音波シール、又は接着剤（例えば、ホットメルト接着剤）等により形成されている。
【００１４】
腰周り弾性体２０（２０ａ，２０ｂ）は、着用者の腰部に対してパンツ型おむつ１を保持するために設けられている。腰周り弾性体２０（２０ａ，２０ｂ）は、腹側部材１１及び背側部材１２のそれぞれの腰部（４ａ，４ｂ）の上端縁に沿うようにして延在する複数の弾性部材から構成されている。
胴周り弾性体２１（２１ａ，２１ｂ）は、着用者の胴周りに対してパンツ型おむつ１を保持するために設けられている。胴周り弾性体２１（２１ａ，２１ｂ）は、外装シート１０の腹側部材１１及び背側部材１２の幅方向（左右方向、Ｘ方向）に延在し、腹側部材１１及び背側部材１２のそれぞれの腰部４（４ａ，４ｂ）の下で、左脚開口部１３及び右脚開口部１４の上の領域に配置された複数の弾性部材から構成されている。
脚周り弾性体２２（２２ａ，２２ｂ，２２ｃ，２２ｄ）は、着用者の左右の脚の付け根部分に対してパンツ型おむつ１を保持するために設けられている。脚周り弾性体２２（２２ａ，２２ｂ，２２ｃ，２２ｄ）は、左脚開口部１３及び右脚開口部１４の開口縁に沿うようにして配置された複数の弾性部材から構成されている。
【００１５】
腰周り弾性体２０、胴周り弾性体２１、脚周り弾性体２２は、それぞれ、外装シート１０を構成する外面シート１０ａ及び内面シート１０ｂ間に配置されており、それぞれが、伸長した状態で外面シート１０ａ及び内面シート１０ｂに接合されている。これにより、パンツ型おむつ１は、外装シート１０の腰部４、胴周り、左右の脚開口部１３，１４の縁部のそれぞれにギャザーが形成されることとなる。
腰周り弾性体２０、胴周り弾性体２１、脚周り弾性体２２を構成する弾性部材は、それぞれ、天然ゴム、ポリウレタン樹脂、伸縮性のホットメルト等の伸縮可能な糸状の材料により形成されている。また、各弾性部材は、糸状の部材だけでなく、帯状の部材等を使用することも可能である。
【００１６】
図３は、本実施形態のパンツ型おむつに設けられた吸収部材の断面図である。なお、図３は、図２のＡ−Ａ’断面における吸収部材の断面図である。
図２に示すように、吸収部材３０は、外装シート１０の内側において、腹側部材１１の腰部４ａ側から股部５を経て背側部材１２の腰部４ｂ側にかけて配置され、尿や血液等の液状体を吸収するパッドであり、略矩形状に形成されている。
図３に示すように、吸収部材３０は、吸収体３１、表面シート３２、裏面シート３３、側部弾性体３４、ギャザーシート３５、股部弾性体３６等から構成されている。
吸収体３１は、尿や血液等の液状体を吸収する部材であり、例えば、吸収紙、綿状パルプ、高分子吸収材等の吸収性材料が組み合わされたものである。吸収体３１は、表面シート３２及び裏面シート３３間に配置されており、表面シート３２から透過した液状体を吸収して保持する。
【００１７】
表面シート３２は、パンツ型おむつ１の内側において、着用者の肌が触れる側に配置され、吸収体３１の表面側を覆うシート部材である。表面シート３２は、例えば、不織布等の液透過性材料から形成されており、パンツ型おむつ１内に発生した液状体を吸収体３１へと透過させる。
裏面シート３３は、吸収体３１の裏面側を覆うシート部材である。裏面シート３３は、例えば、ポリエチレンフィルム等の液不透過性材料から構成されており、吸収体３１に吸収された液状体や、表面シート３２を透過した液状体が外装シート１０側に漏出してしまうのを防ぐ。
【００１８】
ギャザーシート３５は、吸収部材３０に立体ギャザーを形成するシート部材である。図３に示すように、ギャザーシート３５は、２つ設けられており、そのそれぞれが、裏面シート３３の外側（吸収体３１とは反対側）の面の左端部及び右端部に接合される。ギャザーシート３５は、例えば、不織布、又は不織布にポリエチレンフィルム等を貼り合せた材料から構成されており、吸収体３１で吸収しきれなかった液状体が股部５から漏出してしまうのを防ぐ。
ギャザーシート３５は、図１及び図３に示すように、各脚開口部１３、１４側のそれぞれの端縁を折り返した内側に、吸収体３１に沿うようにして、側部弾性体３４が配置されている。
【００１９】
側部弾性体３４は、複数本の弾性部材から構成されており、ギャザーシート３５の折り返された部分の内側に、伸長した状態で接合されている。これにより、パンツ型おむつ１の股部５に対応する位置には、立体ギャザーが形成されることとなり、パンツ型おむつ１の股部５から排泄物や液状体が漏出してしまうことを防ぐことができる。
また、ギャザーシート３５は、裏面シート３３との接合部に、股部弾性体３６が配置されている。
股部弾性体３６は、吸収体３１の左右両端縁に沿うようにして配置された弾性部材である。股部弾性体３６は、パンツ型おむつ１に排泄物が吸収されて吸収体の重量が増加しても、この弾性体の張力により吸収部材３０の左右端部が股間に押し付けられ、股間との間に間隙が生じてしまうのを防ぐことができる。また、股部弾性体３６は、着用者の鼠径部に沿って定位するので、吸収部材３０が縒れたり、弛んだりすることなく着用者の股間部に当接し、極めて良好なフィット性と防漏性を実現することができる。
なお、本実施形態では股部弾性体３６は、吸収部材３０の幅方向の左右端のそれぞれに直線状に１本ずつ配置した例を示したが、複数本ずつ配置するようにしてもよい。
【００２０】
側部弾性体３４及び股部弾性体３６を構成する弾性部材は、上述の腰周り弾性体２０等と同様に、天然ゴム、ポリウレタン樹脂、伸縮性のホットメルト等の伸縮可能な糸状の材料により形成されている。また、この弾性部材は、糸状の部材だけでなく、帯状やシート状の部材等を使用することも可能である。また、側部弾性体全体を伸縮性のシートなどの素材で形成してもよい。この場合、図示した弾性体の延在する方向に伸縮力が働くように形成する必要がある。
【００２１】
次に、外装シート１０の胴周り、及び、その胴周りに設けられた胴周り弾性体２１（２１ａ，２１ｂ）の詳細の構成について説明する。
胴周り弾性体２１（２１ａ，２１ｂ）は、上述したように、外装シート１０の腹側部材１１及び背側部材１２の幅方向（左右方向、Ｘ方向）に延在し、パンツ型おむつ１の腰部４（４ａ，４ｂ）から左脚開口部１３及び右脚開口部１４にかけて配置された複数の糸状の弾性部材から構成されている。ここで、胴周り弾性体２１（２１ａ，２１ｂ）は、パンツ型おむつ１の腰部４（４ａ，４ｂ）側から左右の脚開口部１３、１４側へ向かうにつれて、徐々にその締め付け力が弱くなるように形成されている。
【００２２】
本実施形態では、胴周り弾性体２１（２１ａ，２１ｂ）を構成する弾性部材のうち、左右の脚開口部１３、１４側（下端側）に配置される弾性部材は、その弾性部材よりも腰部４（４ａ，４ｂ）側（上端側）に配置される弾性部材に比して張力（収縮力）が弱くなるよう設けられている。
具体的には、胴周り弾性体２１（２１ａ，２１ｂ）は、弾性部材が外面シート１０ａ及び内面シート１０ｂ間に伸長させて接合される場合に、腰部４（４ａ，４ｂ）から左右の脚開口部１３、１４側に向かって配置されるにつれて徐々に弾性部材の伸長倍率を低くするように形成されている。これにより、本実施形態のパンツ型おむつ１は、腰部４（４ａ，４ｂ）側から左右の開口部１３、１４側にかけて胴周りの締め付け力が徐々に弱くなり、着用者の腹部及び臀部にフィットさせることができる。また、パンツ型おむつ１がずれ落ちてしまうのを抑制することができる。
【００２３】
また、外装シート１０の胴周り（胴周り弾性体２１）には、胴周り弾性体２１（２１ａ，２１ｂ）の締め付け力が及ばない非弾性部Ｐ（図２中の一点鎖線内）が設けられている。この非弾性部Ｐは、外装シート１０の幅方向（左右方向、Ｘ方向）の中心線Ｃ１に対して線対称であって、腰部４（４ａ，４ｂ）と左右の脚開口部１３、１４との間に設けられ、腰部４（４ａ，４ｂ）側から左右の脚開口部１３、１４側に向かうにつれて、その幅寸法（左右幅）が徐々に大きくなるように形成されている。これによっても、パンツ型おむつ１は、胴周り弾性体２１（２１ａ，２１ｂ）の腰部４（４ａ，４ｂ）側から左右の脚開口部１３、１４側へ向かうにつれて、徐々にその締め付け力を弱くすることができる。
ここで、上述したように、胴周り弾性体２１（２１ａ，２１ｂ）は、腰部４（４ａ，４ｂ）側から左右の脚開口部１３、１４側へ向かうにつれて、徐々にその締め付け力を弱くしているが、その締め付け力を変更する範囲は、腹側では着用者のウエストの下部から恥骨上部に対応する位置、背側では着用者のウエストの下部から坐骨に対応する位置であることが好ましい。
また、胴周り弾性体２１（２１ａ，２１ｂ）の締め付け力は、上述の効果をより効果的に奏するために、最も弱い部位（股部５側）が、最も強い部位（腰部４側）の６０〜９５％であることが好ましい。
なお、パンツ型おむつ１は、腹側部材１１と背側部材１２とで胴周り弾性体２１（２１ａ，２１ｂ）の弾性部材の張力や、非弾性部Ｐの幅寸法（左右幅）を変更したりして、胴周り弾性体２１（２１ａ，２１ｂ）による締め付け力を前後（腹側と背側）で変更するようにしてもよい。具体的には、腹側部材１１の胴周り弾性体２１ａの弾性部材の張力を、背側部材１２の胴周り弾性体２１ｂの弾性部材に比して強くしたり、腹側部材１１の非弾性部Ｐの幅寸法（左右幅）を、背側部材１２の非弾性部Ｐに比して狭くしたりすることで、胴周り弾性体２１の腹側の締め付け力を背側に比して強くすることができる。これにより、パンツ型おむつ１を、着用者の腹側と背側とのそれぞれの体型に沿わせることができ、着用時のフィット性をより向上させることができる。
【００２４】
また、非弾性部Ｐは、外装シート１０の腹側部材１１及び背側部材１２の胴回り弾性体２１（２１ａ，２１ｂ）が吸収部材３０と重なる領域であって、吸収部材３０の幅方向（左右方向、Ｘ方向）の両端縁（左右端縁）よりも内側に形成されている。この外装シート１０の胴回り弾性体２１（２１ａ，２１ｂ）及び吸収部材３０が重なる領域には、上述の胴周り弾性体２１（２１ａ，２１ｂ）の締め付け力を有する一部も形成されている。
ここで、非弾性部Ｐは、吸収部材３０の幅方向の両端縁（左右端縁）よりも外側まで延在した場合、吸収部材３０が着用者の身体から離れてしまい漏れなどの要因となるおそれがある。そのため、非弾性部Ｐは、上述のように、吸収部材３０の幅方向の両端縁（左右端縁）よりも内側に形成される必要があり、その最大幅は、吸収部材３０の幅寸法により制限され、吸収部材３０の幅寸法（左右幅）よりも小さい幅にする必要がある。
【００２５】
本実施形態では、非弾性部Ｐは、幅方向の寸法（左右幅）が、腰部４（４ａ，４ｂ）側から左右の脚開口部１３、１４側に向かうにつれて徐々に大きくなり、左右の脚開口部１３、１４に近づいた位置で一定となるように、腰部側に頂点のある略三角形状と略矩形形状とを組み合わせた形状に形成される。そのため、胴周り弾性体２１（２１ａ，２１ｂ）は、外装シート１０及び吸収部材３０の重なる領域における幅方向の寸法（左右幅）が、腰部４（４ａ，４ｂ）側から左右の開口部１３、１４側に向かうにつれて徐々に短くなり、非弾性部Ｐの幅方向の寸法（左右幅）が一定になったところで存在しなくなる。すなわち、胴周り弾性体２１（２１ａ，２１ｂ）は、外装シート１０及び吸収部材３０が重なる領域においては、非弾性部Ｐの略三角形状の外側に形成されている。
【００２６】
ここで、パンツ型おむつのずれ落ちを防止するためには、腰周り弾性体２１を骨盤で最も幅方向に張り出している腸骨の上部に位置するようにしなくてはならないが、腸骨の位置を水平に締め付けると、呼吸や姿勢などによって最も寸法が変化する腹部を締め付け続けることになり、不快感が大きくなる場合があった。一方、締め付けを弱くするとずれ落ちが生じる場合があり、着用者によって異なる体型に合わせて最適の張力を設定することが難しかった。
このため、本発明のパンツ型おむつ１は、上述のように腰部側に頂点のある略三角形状と略矩形形状とを組み合わせた形状に非弾性部Ｐを設けることによって、骨格のない腹部の水平方向の締め付けを抑え、骨盤に沿うように左右の腸骨上部から恥骨上部にかけて斜め方向に腹側の胴周り弾性体２１ａの張力が働くようにすることができる。また、背側においてもウエストからヒップにかけての身体の周長が徐々に大きくなることに対し、均等な張力で支えることができるように背側の胴周り弾性体２１ｂの締め付けを調整することができる。これらにより、パンツ型おむつ１は、良好なフィット性を実現しつつ、ずれ落ちを抑制することができる。
【００２７】
また、本実施形態では、非弾性部Ｐは、その上端部（腰部４ａ，４ｂ側の部分）が、外装シート１０及び吸収部材３０の重なる領域からはみ出すように形成されている。
これは、一般的にパンツ型おむつの吸収部材は、尿などの排泄物を吸収するため、尿道口から肛門付近までを広くカバーする長さになっており、横になった時などでも尿などが流れ出ないよう、さらに余裕を持たせて長くしたものもある。しかし、長くしすぎると、腹部や背部に不快感を与えるため、通常は成人用の場合では、４００〜６００ｍｍの範囲の長さに形成されている。これに対し、パンツ型おむつやパッドホルダーの展開長（腹側部材１１の腰部４ａから背側部材１２の腰部４ｂまでの長さ）は、吸収部材の長さよりさらに成人用で１００〜５００ｍｍ程度長く形成されている。
ここで、非弾性部Ｐの上下方向の適正位置は、腹側ではウエストの下部から恥骨上部、背側ではウエストの下部から坐骨にあたる位置にかけて設けられるのが好ましく、吸収部材３０の配置位置には制限されないため、必ずしも吸収部材と重ならず、本実施形態では、非弾性部Ｐの上端部が上述のようにはみ出している。
【００２８】
非弾性部Ｐが、外装シート１０及び吸収部材３０が重なる領域に形成されることによって、外装シート１０の胴周りにおける吸収部材３０が重ならない領域には、胴周り弾性体２１（２１ａ，２１ｂ）が存在することとなる。これにより、パンツ型おむつ１は、液状体を吸収した吸収部材３０の重みによって、着用者の身体からパンツ型おむつ１がずれ落ちてしまうのを抑制することができる。
また、胴周り弾性体２１（２１ａ，２１ｂ）の腰部４（４ａ，４ｂ）側の一部が、外装シート１０及び吸収部材３０が重なる領域であって、非弾性部Ｐの略三角形状の外側に形成されていることによって、着用者の腰に対するパンツ型おむつ１の締め付けの向きを斜め上方に変化させることができる（図１の矢印Ａ参照）。これにより、パンツ型おむつ１の胴周りが、腰部４の両側から股部５方向へ、弧を描くように曲線状に曲がるため、着用者のお腹周りを締め付けずに腸骨に沿い、パンツ型おむつ１の着用時のフィット性や、ずれ落ち抑制効果を更に向上させることができる。
【００２９】
更に、外装シート１０に非弾性部Ｐが設けられることによって、上述のように幅方向（左右方向）における弾性部材の長さが、腰部４（４ａ，４ｂ）側から左右の脚開口部１３、１４側に向かって配置されるにつれて徐々に短くなるので、パンツ側おむつ１の胴周りは、全体で見た場合、腰部４（４ａ，４ｂ）側から左右の脚開口部１３、１４側に向かうにつれて徐々に胴周り弾性体２１（２１ａ，２１ｂ）の張力が存在しない領域が広くなる。そのため、パンツ型おむつ１は、着用者の腹部及び臀部に対する締め付けを身体の形状に合わせて、腰部４（４ａ，４ｂ）側から左右の脚開口部１３、１４側に向かって弱くすることができ、これによっても、着用時のフィット性を向上させ、パンツ型おむつ１のずれ落ち抑制効果を向上させることができる。
【００３０】
なお、本実施形態では、非弾性部Ｐは、外装シート１０の腰部４（４ａ，４ｂ）から左右の脚開口部１３、１４までの間の胴周りにおいて、胴周り弾性体２１（２１ａ，２１ｂ）が形成されないようにして設けられているが、これに限定されるものでない。例えば、非弾性部Ｐは、胴周り弾性体２１（２１ａ，２１ｂ）を、外装シート１０の腰部４（４ａ，４ｂ）側から左右の脚開口部１３、１４側のほぼ全面に形成した上で、非弾性部Ｐに該当する領域においてのみ、胴周り弾性体２１（２１ａ，２１ｂ）を構成する弾性部材の弾性体としての機能、すなわち張力が発生しない状態にすることによって設けるようにしてもよい。
【００３１】
以上より、本実施形態のパンツ型おむつ１には以下のような効果がある。
（１）パンツ型おむつ１は、胴周り弾性体２１（２１ａ，２１ｂ）が、外装シート１０の腰部４（４ａ，４ｂ）側から左右の脚開口部１３、１４側に向かうにつれて徐々に締め付けが弱くなるように形成されているので、パンツ型おむつ１を着用者の腹部及び臀部にフィットさせることができ、また、パンツ型おむつ１がずれ落ちてしまうのを抑制することができる。
（２）パンツ型おむつ１は、左右の脚開口部１３、１４側に配置される胴周り弾性体２１（２１ａ，２１ｂ）の弾性部材が、その弾性部材よりも腰部４（４ａ，４ｂ）側に配置される弾性部材に比して、張力が弱くなるように設けられているので、より具体的に胴周り弾性体２１（２１ａ，２１ｂ）の締め付けの変化を実現することができる。
【００３２】
（３）パンツ型おむつ１は、非弾性部Ｐが、腰部４（４ａ，４ｂ）側から左右の脚開口部１３、１４側に向かうにつれて、その幅寸法（左右幅）が徐々に大きくなるように形成されているので、より具体的に胴周り弾性体２１の締め付けの変化を実現することができる。
（４）パンツ型おむつ１は、非弾性部Ｐが、外装シート１０及び吸収部材３０が重なる領域であって、吸収部材３０の幅方向（左右方向、Ｘ方向）の両端縁（左右端縁）よりも内側に形成されており、胴周り弾性体２１（２１ａ，２１ｂ）の一部が、外装シート１０及び吸収部材３０が重なる領域に形成されている。これにより、外装シート１０の胴周りにおける吸収部材３０が重ならない領域には、胴周り弾性体２１（２１ａ，２１ｂ）が存在することとなり、パンツ型おむつ１は、液状体を吸収した吸収部材３０の重みによって、着用者の身体からずれ落ちてしまうのを抑制することができる。
更に、胴周り弾性体２１（２１ａ，２１ｂ）の腰部４（４ａ，４ｂ）側の一部が、外装シート１０及び吸収部材３０が重なる領域に形成されていることによって、着用者の腰に対してパンツ型おむつ１を斜め上方に引っ張り上げた状態で保持することができ、パンツ型おむつ１のずれ落ち抑制効果を向上させることができる。
【００３３】
（第２実施形態）
本実施形態においては、使い捨て下着として吸収性物品を保持するパッドホルダーを例に挙げて説明する。
図４は、第２実施形態のパッドホルダーの展開図であり、図２に対応する図である。図４（ａ）は、第２実施形態のパッドホルダーの例を示す図であり、図４（ｂ）は、第２実施形態のパッドホルダーの他の例を示す図である。図４において、展開したパッドホルダーの幅方向（左右方向）をＸ方向（＋Ｘが左側）とし、Ｘ方向に直交する上下方向をＺ方向とする。ここで、図４において、腹側部材の上方向はＺ１方向を示し、背側部材の上方向はＺ２方向を示すものとする。
なお、以下の説明及び図面において、前述した第１実施形態と同様の機能を果たす部分には、同一の符号又は末尾に同一の符号（下二桁）を付して、重複する説明を適宜省略する。
【００３４】
第２実施形態のパッドホルダー１０１は、吸収部材３０が設けられていない点で、第１実施形態のパンツ型おむつ１と主に相違する。
パッドホルダー１０１は、尿や血液等の液状体を吸収するパッドやナプキンなどの吸収性物品を保持するパンツ型のホルダーである。パッドホルダー１０１は、その股部１０５に吸収性物品を配置した上で着用することによって、上述の第１実施形態のパンツ型おむつ１と同様の機能を実現することができる。
パッドホルダー１０１は、図４に示すように、腹側部材１１１、背側部材１１２、股部１０５、左脚開口部１１３、右脚開口部１１４、接合部１１５等から構成される外装シート１１０から形成されている。
【００３５】
腹側部材１１１及び背側部材１１２には、外装シート１１０の胴周り、すなわち外装シート１１０の腰部１０４（１０４ａ，１０４ｂ）側から左脚開口部１１３及び右脚開口部１１４側にかけて胴周り弾性体１２１（１２１ａ，１２１ｂ）が設けられている。
胴周り弾性体１２１（１２１ａ，１２１ｂ）は、外装シート１１０の幅方向（左右方向、Ｘ方向）において、パッドホルダー１０１の腰部１０４（１０４ａ，１０４ｂ）側から左右の脚開口部１１３、１１４側にかけて配置された複数の糸状の弾性部材から構成されている。ここで、胴周り弾性体１２１（１２１ａ，１２１ｂ）を構成する弾性部材は、パッドホルダー１０１の腰部１０４（１０４ａ，１０４ｂ）から左右の脚開口部１１３、１１４へ向かうにつれて、徐々に張力が弱くなるように形成されている。すなわち、左右の脚開口部１１３、１１４側（下端側）に配置される弾性部材は、その弾性部材よりも腰部１０４（１０４ａ，１０４ｂ）側（上端側）に配置される弾性部材に比して張力が弱くなるよう設けられている。具体的には、胴周り弾性体１２１（１２１ａ，１２１ｂ）は、弾性部材が外面シート１１０ａ及び内面シート１１０ｂ間に伸長させて接合される場合に、腰部１０４（１０４ａ，１０４ｂ）から左右の脚開口部１１３、１１４側に向かって配置されるにつれて徐々に弾性部材の伸長倍率を低くするように形成されている。
【００３６】
また、外装シート１１０の胴周りには、胴周り弾性体１２１（１２１ａ，１２１ｂ）の張力が及ばない非弾性部Ｐ（図４中の一点鎖線内）が腰部（１０４ａ，１０４ｂ）側に頂点のある略三角形状に設けられている。この非弾性部Ｐは、外装シート１１０の幅方向（左右方向、Ｘ方向）の中心線Ｃ１に対して線対称であって、腰部１０４（１０４ａ，１０４ｂ）と左右の脚開口部１１３、１１４との間に設けられ、腰部１０４（１０４ａ，１０４ｂ）から左右の脚開口部１１３、１１４に向かうにつれて、その幅寸法（左右幅）が徐々に大きくなるように形成されている。
ここで、非弾性部Ｐは、着用者によって吸収性物品が任意に選定されて配置される場合があるため、配置される吸収性物品の幅寸法（左右幅）を予め想定した上で、その幅方向（左右方向、Ｘ方向）の寸法を決定するのが望ましい。すなわち、非弾性部Ｐの幅寸法（左右幅）は、予め想定した吸収性物品の幅寸法（左右幅）と同等以下に形成されるのが望ましい。これにより、吸収性物品が配置されたパッドホルダー１０１を着用者が着用した場合に、吸収性物品が着用者の身体から離れてしまい、漏れなどが発生してしまうのを抑制することができる。
【００３７】
本実施形態では、非弾性部Ｐは、幅方向（左右幅）の寸法が、腹側部材１１１及び背側部材１１２の各々の腰部１０４（１０４ａ，１０４ｂ）側から左右の脚開口部１１３、１１４側に向かうにつれて徐々に大きくなるように、腰部１０４（１０４ａ，１０４ｂ）側に頂点のある略三角形状に形成される。そのため、胴周り弾性体１２１（１２１ａ，１２１ｂ）は、非弾性部Ｐの略三角形状の外側に形成されることとなり、幅方向（左右方向、Ｘ方向）の寸法が、腰部１０４（１０４ａ，１０４ｂ）側から左右の脚開口部１３、１４側に向かうにつれて徐々に短くなる。
【００３８】
このように、胴周り弾性体１２１（１２１ａ，１２１ｂ）の腰部１０４（１０４ａ，１０４ｂ）側の一部が、非弾性部Ｐの略三角形状の外側に形成されていることによって、着用者の腰に対するパッドホルダー１０１の締め付けの向きを斜め上方に変化させることができる。これにより、パッドホルダー１０１の胴周りが、腰周りの両側から股部方向へ、弧を描くように曲線状に曲がるため、着用者のお腹周りを締め付けずに腸骨に沿い、パッドホルダー１０１の着用時のフィット性や、ずれ落ち抑制効果を更に向上させることができる。
【００３９】
また、外装シート１１０に非弾性部Ｐが設けられることによって、上述のように幅方向における弾性部材の長さが腰部１０４（１０４ａ，１０４ｂ）側から左右の脚開口部１１３、１１４側に向かって配置されるにつれて徐々に短くなるので、パッドホルダー１０１の胴周りは、全体で見た場合、腰部１０４（１０４ａ，１０４ｂ）側から左右の脚開口部１１３、１１４側に向かうにつれて徐々に胴周り弾性体１２１（１２１ａ，１２１ｂ）の張力が存在しない領域が広くなる。そのため、パッドホルダー１０１は、着用者の腹部及び臀部に対する締め付けを身体の形状に合わせて変化させることができ、着用時のフィット性を実現しつつ、パッドホルダー１０１のずれ落ちを抑制することができる。
【００４０】
以上より、本実施形態のパッドホルダー１０１は、外装シート１１０の腰部１０４（１０４ａ，１０４ｂ）側から左右の脚開口部１１３、１１４側に向かうにつれて徐々に締め付けが弱くなるように形成されているので、パッドホルダー１０１を着用者の腹部及び臀部にフィットさせることができ、また、パッドホルダー１０１がずれ落ちてしまうのを抑制することができる。
また、パッドホルダー１０１は、左右の脚開口部１１３、１１４側に配置される胴周り弾性体１２１（１２１ａ，１２１ｂ）の弾性部材が、その弾性部材よりも腰部１０４（１０４ａ，１０４ｂ）側に配置される弾性部材に比して、張力が弱くなるように形成されているので、より具体的に胴周り弾性体１２１（１２１ａ，１２１ｂ）の締め付けの変化を実現することができる。
更に、パッドホルダー１０１は、非弾性部Ｐが、腰部１０４（１０４ａ，１０４ｂ）側から左右の脚開口部１１３、１１４側に向かうにつれて、その幅寸法が徐々に大きくなるように形成されているので、より具体的に胴周り弾性体１２１（１２１ａ，１２１ｂ）の締め付けの変化を実現することができる。
また、パッドホルダー１０１は、非弾性部Ｐの幅寸法が、腰部１０４（１０４ａ，１０４ｂ）から各開口部１１３、１１４に向かうにつれて、徐々に大きくなるように形成されている。これにより、パッドホルダー１０１は、股部１０５に吸収性物品が配置された状態で使用された場合に、液状体を吸収した吸収性物品の重みによって、着用者の身体からパッドホルダー１０１がずれ落ちてしまうのを抑制することができる。
【００４１】
なお、パッドホルダー１０１は、図４（ｂ）に示すように、その股部１０５に立体ギャザー１３０が配置されるようにしてもよい。この場合、非弾性部Ｐは、第１実施形態の吸収部材３０と同様に、外装シート１１０及び立体ギャザー１３０が重なる領域であって、立体ギャザー１３０の幅方向の両端縁よりも内側に形成されるのが望ましい。そうすることで、パッドホルダー１０１は、第１実施形態のパンツ型おむつ１と同様の効果を奏することができる。
【００４２】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４３】
図５は、変形形態のパンツ型おむつの展開図である。図５（ａ）は、変形形態（１）のパンツ型おむつを示す図であり、図５（ｂ）は、変形形態（２）のパンツ型おむつを示す図である。図５において、展開したパンツ型おむつの幅方向（左右方向）をＸ方向（＋Ｘが左側）とし、Ｘ方向に直交する上下方向をＺ方向とする。ここで、図５において、腹側部材の上方向はＺ１方向を示し、背側部材の上方向はＺ２方向を示すものとする。
（変形形態）
（１）第１実施形態では、パンツ型おむつ１は、腹側部材１１と背側部材１２とが股部（股部材）５で一体につながっている例を示したが、これに限定されるものでない。例えば、図５（ａ）に示すように、パンツ型おむつ１は、腹側部材１１と、背側部材１２と、吸収部材３０を備える股部（股部材）５とがそれぞれ別体で設けられ、それぞれがホットメルト等の接着剤により接合されるようにしてもよい。
【００４４】
（２）各実施形態では、左脚開口部及び右脚開口部は、腹側部材と、背側部材とで非対称に形成される例を示したが、これに限定されるものでない。例えば、図５（ｂ）に示すように、左右の脚開口部１３、１４は、腹側部材１１及び背側部材１２において、それぞれ同形状、すなわち中心線Ｃ２に対して線対称に形成されるようにしてもよい。このようにすることで、前後の区別のないパンツ型おむつを形成することができ、着用者の利便性を向上させることができる。
【００４５】
（３）第１実施形態では、パンツ型おむつ１の非弾性部Ｐが、腰部側に頂点のある三角形状と矩形形状の組み合わせた形状である例を示し、第２実施形態では、パッドホルダー１０１の非弾性部Ｐが、腰部側に頂点のある三角形状である例を示したが、これに限定されるものでない。非弾性部Ｐの形状は、その外側の胴周り弾性体の張力や配置位置などに合わせて適正に設定するのが望ましいので、その幅寸法（左右幅）が腰部から左右の脚開口部に向かって徐々に大きくなるように形成されていれば、例えば、腰部側に頂点がある放物線状や円弧状に形成されるようにしてもよい。
【００４６】
（４）各実施形態では、胴周り弾性体は、腰部４（４ａ，４ｂ）から左右の脚開口部１３、１４へ向かうにつれて、胴周り弾性体の弾性部材の張力を徐々に弱くするために、弾性部材の伸長倍率を徐々に低くする例を示したが、これに限定されるものでない。
例えば、腰部４（４ａ，４ｂ）から左右の脚開口部１３、１４へ向かうにつれて、胴周り弾性体を構成する弾性部材の材料を変更して、張力を徐々に弱くするようにしてもよい。また、糸状の弾性部材の太さが、腰部４（４ａ，４ｂ）から左右の脚開口部１３、１４側に向かって配置されるにつれて徐々に細くなるようにしてもよく、更に、上述の方法を適宜組み合わせてもよい。
【００４７】
（５）第１実施形態では、パンツ型おむつ１は、非弾性部Ｐの上端部が、外装シート１０と吸収部材３０との重なる領域からはみ出す例を示したが、これに限定されるものでなく、外装シート１０と吸収部材３０との重なる領域に含まれるようにしてもよい。
（６）各実施形態では、パンツ型おむつ１等は、胴周り弾性体２１（２１ａ，２１ｂ）の締め付けを腰部４（４ａ，４ｂ）から左右の脚開口部１３、１４へ向かうにつれて徐々に弱くするために、弾性部材の張力を徐々に変更し、かつ、非弾性部Ｐを設ける例を示したが、これに限定されるものでない。例えば、弾性部材の張力を変化させずに非弾性部Ｐのみを設けたりすることによって、胴周り弾性体２１（２１ａ，２１ｂ）の締め付けを腰部４（４ａ，４ｂ）から左右の脚開口部１３、１４へ向かうにつれて徐々に弱くするようにしてもよい。
【符号の説明】
【００４８】
１：パンツ型おむつ、  ２：左脚開口孔、  ３：右脚開口孔、  ４（４ａ，４ｂ），１０４（１０４ａ，１０４ｂ）：腰部、  ５，１０５：股部（股部材）、  １０、１１０：外装シート、  １１、１１１：腹側部材、  １２、１１２：背側部材、  １３、１１３：左脚開口部、  １４、１１４：右脚開口部、  １５、１１５：接合部、  ２０（２０ａ，２０ｂ）、１２０（１２０ａ，１２０ｂ）：腰周り弾性体、  ２１（２１ａ，２１ｂ）、１２１（１２１ａ，１２１ｂ）：胴周り弾性体、  ２２（２２ａ，２２ｂ，２２ｃ，２２ｄ）、１２２（１２２ａ，１２２ｂ，１２２ｃ，１２２ｄ）：脚周り弾性体、  ３０：吸収部材、  ３１：吸収体、  ３２：表面シート、  ３３：裏面シート、  ３４：側部弾性体、  ３６：股部弾性体、  １０１：パッドホルダー、  Ｐ：非弾性部
【図１】
0005999860.tif 000002
【図２】
0005999860.tif 000003
【図３】
0005999860.tif 000004
【図４】
0005999860.tif 000005
【図５】
0005999860.tif 000006